(57)【要約】【課題】トレイ部分と蓋部分とが不意に分離することがなく、開封時における商品のこぼれ落ちが防止され、窓開き展示状態とトレイ型展示状態を組み合わせた段積み展示が可能な包装展示兼用箱を提供する。【解決手段】後方上部から前方下部へ延びる側切線１１，１２と、両側の側切線１２に及ぶ前切線１３とを入れ、上部から前切線１３まで窓切線１４を入れる。天側板６と前側板７及び後側板９とをそれぞれ接着部ａ，ｂで接着し、底側板８と前側板７及び後側板９とをそれぞれ接着部ｃ，ｄで接着して包装状態とする。展示に際しては、窓切線１４とその下端間の前切線１３を切断すると、窓部１５が開口した窓開き展示状態となり、後方上部を引き上げて、側切線１１，１２及び前切線１３を切断すると、トレイ部分２１と蓋部分２２とに分離され、トレイ型展示状態となるようにする。【選択図】図４
2019006432.tif 000002
【特許請求の範囲】
【請求項１】
天面板(1)の前端に前面板(2)、底面板(3)及び後面板(4)が順次連設され、天面板(1)の後端に継代(5)が連設され、天面板(1)、前面板(2)、底面板(3)及び後面板(4)の両側にそれぞれ天側板(6)、前側板(7)、底側板(8)及び後側板(9)が連設され、
後方上部から前方下部へ延びる側切線(11,12)と、両側の側切線(12)に及ぶ前切線(13)とが入れられると共に、上部から前切線(13)まで窓切線(14)が入れられ、
包装状態では、天面板(1)から前面板(2)が下方へ、前面板(2)から底面板(3)が後方へ、底面板(3)から後面板(4)が上方へ折り曲げられ、天面板(1)から継代(5)が下方へ折り曲げられて、継代(5)と後面板(4)の上部が重ね合わされ、
天面板(1)から天側板(6)が下方へ、底面板(3)から底側板(8)が上方へそれぞれ折り曲げられ、前面板(2)から前側板(7)が後方へ、後面板(4)から後側板(9)が前方へそれぞれ折り曲げられて、天側板(6)と前側板(7)及び後側板(9)とがそれぞれ接着部(a,b)で接着されると共に、底側板(8)と前側板(7)及び後側板(9)とがそれぞれ接着部(c,d)で接着され、
展示に際しては、窓切線(14)とその下端間の前切線(13)を切断し、これに囲まれた部分を除去すると、窓部(15)が開口した窓開き展示状態となり、後方上部を引き上げて、側切線(11,12)及び前切線(13)を切断すると、トレイ部分(21)と蓋部分(22)とに分離されて、蓋部分(22)の除去に伴い、トレイ型展示状態となる包装展示兼用箱。
【請求項２】
請求項１に記載の包装展示兼用箱において、後面板(4)には、両側の側切線(11)に及ぶ後切線(10)が入れられると共に、後切線(10)の中間部に臨む指入部(10a)が設けられ、
トレイ型展示状態とする際には、指入部(10a)から後切線(10)を切断し、これに続いて、両側の側切線(11,12)及び前切線(13)を切断することを特徴とする包装展示兼用箱。
【請求項３】
請求項２に記載の包装展示兼用箱において、両側の側切線(11,12)は、後側板(9)及び前側板(7)をそれぞれ横切るように入れられ、
後側板(4)の側切線(11)は、天側板(6)との接着部(b)の下方に位置し、前側板(7)の側切線(12)は、底側板(8)との接着部(c)の上方に位置して、前側板(7)と後側板(9)の突合部で側切線(11,12)が後上がりに段違いになっていることを特徴とする包装展示兼用箱。
【発明の詳細な説明】
【技術分野】
【０００１】
この発明は、商品の包装及び展示に兼用される包装展示兼用箱に関するものである。
【背景技術】
【０００２】
近年、流通業界においては、人手不足の影響もあり、店頭での展示作業を省力化できる包装形態が要望されている。
【０００３】
そのような要望に応える包装展示兼用箱として、下記特許文献１には、図７に示すようなものが記載されている。この包装箱展示兼用箱は、レトルト食品等の商品を収容するものであり、図７（７Ａ）に示すように、前面板５１、一対の側面板５２、後面板５３及び継代５４が四角筒の周壁を形成するように連設され、両側の側面板５２から延びる内フラップ５５に、前面板５１及び後面板５３から延びる外フラップ５６を重ね合わせて、テープ等で封緘する形式となっている。この形式は、通常Ａ式と呼ばれるものである。
【０００４】
また、この包装展示兼用箱の前面板５１には、四角枠状の窓切線５７が入れられると共に、窓切線５７の両側方に前切線５１ａが入れられ、これに続いて両側の側面板５２に側切線５２ａが、後面板５３に後切線５３ａがそれぞれ入れられている。そして、後面板５３には、後切線５３ａの中間部に臨んで、指入部５３ｂが設けられている。
【０００５】
このような包装展示兼用箱により包装した商品Ｐを店頭で展示する際には、例えば、図７（７Ａ）に示すように、窓切線５７を切断して、これに囲まれた部分を除去することにより、前面板５１に窓部を形成し、その窓部を介して商品Ｐのフェイス面が見える窓開き展示状態とすることができる。
【０００６】
また、上記のような窓開き展示状態から、指入部５３ｂに指を入れて前側上方へ引っ張り、後切線５３ａ、側切線５２ａ及び前切線５１ａを切断して、その上方部分を除去すると、図７（７Ｂ）に示すように、下方のトレイ部分から前後に並んだ多数の商品Ｐを露出させるトレイ型展示状態とすることもできる。
【０００７】
さらに、窓開き展示状態とした包装展示兼用箱の天面に、トレイ型展示状態とした包装展示兼用箱を載せて、段積み展示状態とすることもできる。
【０００８】
また、下記特許文献２において、本出願人は、図８に示すような包装展示兼用箱を提案している。この包装展示兼用箱は、包装状態において、底面板６１から前受板６２、対向する底側板６３及び後面板６４が起立し、前受板６２と底側板６３とが接着部６０ａでの接着により連結され、後面板６４から後側板６５が前方へ折り曲げられ、底側板６３と後側板６５とが接着部６０ｂで接着されて、トレイ部分７１が形成されている。
【０００９】
また、トレイ部分７１の後面板６４から天面板６６が前方へ、天面板６６から前面板６７が下方へ順次折り曲げられ、前面板６７から前側板６８が後方へ、天面板６６から天側板６９が下方へそれぞれ折り曲げられ、前側板６８と天側板６９が接着部６０ｃで接着されて、蓋部分７２が形成されている。
【００１０】
そして、後面板６４と天面板６６の境界には、その両端へ向かう切目線７３が入れられると共に、切目線７３の中間部に臨んで指入部７３ａが設けられ、前受板６２に切目線を入れて形成された切取部６２ａが接着部６０ｄで前面板６７の裏面に接着されて、トレイ部分７１と蓋部分７２とが固定されたものとなっている。
【００１１】
この包装展示兼用箱では、商品の展示に際して、指入部７３ａに指を入れて手前に引っ張ると、後方上部の切目線７３が切断され、切取部６２ａが前面板６７に貼り付いた状態で前受板６２から切り取られて、トレイ部分７１と蓋部分７２とが分離し、蓋部分７２の除去に伴い、トレイ部分７１から商品が露出したトレイ型展示状態とすることができる。
【００１２】
なお、商品が重量物である場合には、包装状態において、前方下部で重なり合う底側板６３と前側板６８とを、ニスが塗布された接着弱化部（斜線を付した部分）を介して接着部６０ｅで接着しておくことにより、トレイ部分７１と蓋部分７２とが不意に分離せず、展示状態とする際には、底側板６３と前側板６８とが簡単に剥がれるようにする。
【先行技術文献】
【特許文献】
【００１３】
【特許文献１】特開２０１７−４７９６７号公報
【特許文献２】特開２０１５−１０７８３１号公報
【発明の概要】
【発明が解決しようとする課題】
【００１４】
しかしながら、図７に示す包装展示兼用箱では、トレイ型展示状態とする際、側切線５２ａを途切れることなく切断できるようにするため、トレイ部分をあまり後上がりの形状にすることができず、商品Ｐを大きく露出させようとして、側切線５２ａ及び後切線５３ａの位置を低く設定すると、開封時に商品Ｐが後方へこぼれ落ちる恐れがある。
【００１５】
また、図８に示す包装展示兼用箱では、窓開き展示状態にするため、前面板６７に四角枠状の窓切線を入れて、前面板６７を下部から上方へ大きく開口させようとすると、窓部分の切り取りに伴い、接着部６０ｄを有する切取部６２ａも同時に切り取られてしまうため、トレイ部分７１から蓋部分７２が不意に分離して開いてしまう恐れがある。
【００１６】
従って、窓開き展示状態とした包装展示兼用箱の天面に、トレイ型展示状態とした包装展示兼用箱を載せて、商品が前面側からよく見えるような大量陳列の段積み展示状態とすることが困難であり、訴求性向上のための店頭での陳列パターンの多様化が図りにくいという問題がある。
【００１７】
そこで、この発明は、トレイ部分と蓋部分とが不意に分離することがなく、開封時における商品のこぼれ落ちが防止され、窓開き展示状態とトレイ型展示状態を組み合わせた段積み展示が可能な包装展示兼用箱を提供することを課題とする。
【課題を解決するための手段】
【００１８】
上記課題を解決するため、この発明に係る包装展示兼用箱は、天面板の前端に前面板、底面板及び後面板が順次連設され、天面板の後端に継代が連設され、天面板、前面板、底面板及び後面板の両側にそれぞれ天側板、前側板、底側板及び後側板が連設され、
後方上部から前方下部へ延びる側切線と、両側の側切線に及ぶ前切線とが入れられると共に、上部から前切線まで窓切線が入れられ、
包装状態では、天面板から前面板が下方へ、前面板から底面板が後方へ、底面板から後面板が上方へ折り曲げられ、天面板から継代が下方へ折り曲げられて、継代と後面板の上部が重ね合わされ、
天面板から天側板が下方へ、底面板から底側板が上方へそれぞれ折り曲げられ、前面板から前側板が後方へ、後面板から後側板が前方へそれぞれ折り曲げられて、天側板と前側板及び後側板とがそれぞれ接着部で接着されると共に、底側板と前側板及び後側板とがそれぞれ接着部で接着され、
展示に際しては、窓切線とその下端間の前切線を切断し、これに囲まれた部分を除去すると、窓部が開口した窓開き展示状態となり、後方上部を引き上げて、側切線及び前切線を切断すると、トレイ部分と蓋部分とに分離されて、蓋部分の除去に伴い、トレイ型展示状態となるようにしたのである。
【００１９】
また、前記包装展示兼用箱において、後面板には、両側の側切線に及ぶ後切線が入れられると共に、後切線の中間部に臨む指入部が設けられ、
トレイ型展示状態とする際には、指入部から後切線を切断し、これに続いて、両側の側切線及び前切線を切断するものとしたのである。
【００２０】
さらに、前記包装展示兼用箱において、両側の側切線は、後側板及び前側板をそれぞれ横切るように入れられ、
後側板の側切線は、天側板との接着部の下方に位置し、前側板の側切線は、底側板との接着部の上方に位置して、前側板と後側板の突合部で側切線が後上がりに段違いになっているものとしたのである。
【発明の効果】
【００２１】
この発明に係る包装展示兼用箱では、いわゆるラップラウンド型の包装箱を起立させた形態となっていることから、包装状態において、両側面の前方下部で底側板と前側板とをしっかりと接着しておくことができ、前面の下部まで窓部が大きく開口した窓開き展示状態にしても、トレイ部分と蓋部分とが不意に分離することがない。
【００２２】
また、トレイ型展示状態では、前面板の高さを低く抑えつつ、後面板を比較的高く残存させることができ、開封時における商品のこぼれ落ちを防止できる。
【００２３】
そして、窓開き展示状態とした包装展示兼用箱の蓋部分の天面に、トレイ部分のみから成るトレイ型展示状態とした包装展示兼用箱を載せて、商品が前面側からよく見える大量陳列の段積み展示状態とすることができる。
【図面の簡単な説明】
【００２４】
【図１】この発明の実施形態に係る包装展示兼用箱のブランクを示す図
【図２】同上の包装状態を示す斜視図
【図３】同上の窓開き展示状態を示す斜視図
【図４】同上の窓開き展示状態からトレイ型展示状態への変換過程を示す斜視図
【図５】同上のトレイ型展示状態を示す斜視図
【図６】同上の段積み展示状態を示す斜視図
【図７】特許文献１記載の包装展示兼用箱の（７Ａ）窓開き展示状態、（７Ｂ）トレイ型展示状態をそれぞれ示す斜視図
【図８】特許文献２記載の包装展示兼用箱の包装状態からトレイ型展示状態への変換過程を示す斜視図
【発明を実施するための形態】
【００２５】
以下、この発明の実施形態を添付図面に基づいて説明する。
【００２６】
この包装展示兼用箱は、高さが幅及び奥行よりも大きい深型のものであり、図１に示す段ボールのブランクから組み立てられる。このブランクでは、長方形の天面板１の一辺に前面板２、底面板３及び後面板４が順次連設され、その反対側の天面板１の一辺に継代５が連設されている。また、天面板１、前面板２、底面板３及び後面板４の両側には、それぞれ天側板６、前側板７、底側板８及び後側板９が連設され、前側板７及び後側板９の先端両角部は、切り欠かれている。
【００２７】
天面板１、前面板２、底面板３、後面板４とその両側の天側板６、前側板７、底側板８及び後側板９の境界の罫線には、それぞれ折曲抵抗を軽減するため、断続する切目が入れられ、天面板１と継代５の境界部分には、組立形状を安定させるための突起形成用の切目が入れられている。
【００２８】
後面板４には、上端となる端縁寄りに、後切線１０が幅方向に延びるように入れられている。後切線１０は、切断進行方向の所定方向からの逸脱を防止するため、断続する各切目の両端部に誘導部を備えたジッパー型とされている。そして、後切線１０の中央部に臨んで、円弧状の切目線の切断に伴い押し込まれる指入部１０ａが設けられている。
【００２９】
また、開封時に指入部１０ａから引っ張ったとき撓みやすくするため、指入部１０ａの両側付近から上端となる端縁の中央側へ向かって斜め方向へ延びるように、段ボールを表面から押圧した逆罫線１０ｂが入れられている。
【００３０】
両側の後側板９には、後切線１０に続き、後面板４側から先端側へ向かうジッパー型の側切線１１が入れられ、両側の前側板７には、底面板３寄りの先端縁から前面板２へ向かうジッパー型の側切線１２が入れられている。
【００３１】
前面板２には、両側の側切線１２に続き、底面板３へ向かって斜め内側へ延びるジッパー型の斜行部１３ａと、その間に及ぶ直線状の横行部１３ｂから成る前切線１３が入れられている。横行部１３ｂは、比較的長い切目が断続するものとされている。
【００３２】
また、前面板２には、天面板１側から前切線１３の横行部１３ｂまで窓切線１４が入れられ、窓切線１４の天面板１寄りの部分の中央部に臨んで、円弧状の切目線の切断に伴い押し込まれる指入部１４ａが設けられている。
【００３３】
天側板６、前側板７、底側板８及び後側板９に付した鎖線の丸印は、組立時にホットメルト接着剤を塗布して貼り合わせる接着部ａ，ｂ，ｃ，ｄの位置を示している。
【００３４】
このようなブランクを組み立てた包装展示兼用箱は、レトルト食品等の商品の包装状態において、図２に示すように、天面板１から前面板２が下方へ、前面板２から底面板３が後方へ、底面板３から後面板４が上方へ折り曲げられ、天面板１から継代５が下方へ折り曲げられて、継代５が後面板４の内側に重ね合わされている。
【００３５】
また、天面板１から天側板６が下方へ、底面板３から底側板８が上方へそれぞれ折り曲げられ、前面板２から前側板７が後方へ、後面板４から後側板９が前方へそれぞれ折り曲げられて、天側板６と前側板７及び後側板９とがそれぞれ接着部ａ，ｂで接着され、底側板８と前側板７及び後側板９とがそれぞれ接着部ｃ，ｄで接着されている。
【００３６】
なお、継代５と後面板４とは、接着しなくても問題ないが、接着しておくと、包装状態での強度が向上し、より確実な封緘状態となる。
【００３７】
この包装状態では、天側板６と後側板９の接着部ｂの下方に側切線１１が位置し、底側板８と前側板７の接着部ｃの上方に側切線１２が位置している。また、前側板７と後側板９の突合部において、側切線１１が側切線１２よりも上方に離れて位置し、側切線１１，１２が後上がりに段違いになっている。
【００３８】
そして、後切線１０、側切線１１、側切線１２及び前切線１３の下方部分がトレイ部分２１を構成し、上方部分が蓋部分２２を構成する。
【００３９】
一方、店頭での展示に際しては、前面板２の指入部１４ａに指を入れ、その下方部分を手前に引っ張ることにより、窓切線１４と前切線１３の横行部１３ｂを切断し、これに囲まれた部分を除去すると、図３に示すように、前面板２に窓部１５が形成され、窓部１５を介して商品Ｐのフェイス面が見える窓開き展示状態となる。
【００４０】
上記のような包装展示兼用箱では、いわゆるラップラウンド型の包装箱を起立させた形態となっていることから、包装状態において、両側面の前方下部で底側板８と前側板７とをしっかりと接着しておくことができ、前面の下部まで窓部１５が大きく開口した窓開き展示状態にしても、トレイ部分２１と蓋部分２２とが不意に分離することがない。
【００４１】
また、図４に示すように、後面板４の指入部１０ａに指を入れ、その上方部分を逆罫線１０ｂ沿いに撓ませつつ引き上げて、後切線１０、側切線１１，１２及び前切線１３を切断すると、トレイ部分２１と蓋部分２２とに分離され、蓋部分２２の除去に伴い、図５に示すように、前後に並んだ多数の商品Ｐが露出したトレイ型展示状態となる。
【００４２】
このトレイ型展示状態では、前側板７と後側板９の突合部で側切線１１，１２が後上がりに段違いになっていることから、前面板２の高さを低く抑えつつ、後面板４を比較的高く残存させることができ、開封時における商品Ｐのこぼれ落ちを防止できるほか、商品Ｐを後面板４に凭れさせて安定した状態で展示できる。
【００４３】
また、トレイ部分２１の高さが商品Ｐの高さよりも低くなっているので、店頭の陳列棚に載せて展示する際、上段側の棚板に接触することなく、商品Ｐを収容した状態のトレイ部分２１を上段側の棚板と下段側の棚板の間に挿入することができる。
【００４４】
そして、図６に示すように、窓開き展示状態として横に並べた複数個の包装展示兼用箱の蓋部分２２の天面に、トレイ部分２１のみから成るトレイ型展示状態とした複数個の包装展示兼用箱を載せて、商品Ｐが前面側からよく見える大量陳列の段積み展示状態とすることができる。
【００４５】
なお、継代５と後面板４とを接着しない場合には、後面板４の両側上端から側切線１１へ続く切目線を入れ、継代５を引き上げて開封するようにしてもよい。その場合、後面板４の後切線１０を省略してもよい。
【００４６】
また、上記実施形態では、窓切線１４を前面板２の範囲内にのみ入れて、窓部１５が前面にのみ形成されるものを例示したが、窓切線１４を天面板１から前面板２にかけて入れることにより、窓部１５が天面から前面にかけて形成されるようにしてもよい。
【符号の説明】
【００４７】
１  天面板
２  前面板
３  底面板
４  後面板
５  継代
６  天側板
７  前側板
８  底側板
９  後側板
１０  後切線
１０ａ  指入部
１０ｂ  逆罫線
１１，１２  側切線
１３  前切線
１３ａ  斜行部
１３ｂ  横行部
１４  窓切線
１４ａ  指入部
１５  窓部
２１  トレイ部分
２２  蓋部分
ａ，ｂ，ｃ，ｄ  接着部
Ｐ  商品
【図１】
2019006432.tif 000003
【図２】
2019006432.tif 000004
【図３】
2019006432.tif 000005
【図４】
2019006432.tif 000006
【図５】
2019006432.tif 000007
【図６】
2019006432.tif 000008
【図７】
2019006432.tif 000009
【図８】
2019006432.tif 000010